(57)【特許請求の範囲】
【請求項１】
画像を表す映像信号に対して複数の画像処理を順に実行する画像処理装置であって、
それぞれが前記複数の画像処理の１つを実行する複数の画像処理実行部と、
前記映像信号と同期信号とが前記複数の画像処理実行部のそれぞれに任意の順序で供給されるように、前記複数の画像処理実行部における前記映像信号と前記同期信号との経路を設定する信号経路設定部と、を備え、
前記複数の画像処理実行部のそれぞれは、前記画像処理に伴う前記映像信号の遅延量と同一の遅延量で前記同期信号を遅延させる遅延部を含み、
前記複数の画像処理実行部の少なくとも１つは、前記同期信号を基準とした所定のタイミングで前記画像処理を行い、
前記信号経路設定部は、前記映像信号の内容的な種類に応じた所定の順序で前記映像信号と前記同期信号とが前記複数の画像処理実行部に供給されるように、前記映像信号と前記同期信号との経路を設定する、画像処理装置。
【請求項２】
請求項１に記載の画像処理装置であって、さらに、
ユーザによる指示を受領するユーザ指示入力部を備え、
前記指示は、前記映像信号の内容的な種類を指定する情報を含む、画像処理装置。
【請求項３】
請求項１または請求項２に記載の画像処理装置であって、さらに、
前記複数の画像処理後の前記映像信号に基づき画像を表示する画像表示部を備える、画像処理装置。
【請求項４】
プロジェクタであって、
画像を表す映像信号に対して複数の画像処理が順に実行されるよう、それぞれが前記複数の画像処理の１つを実行する複数の画像処理実行部と、
前記映像信号と同期信号とが前記複数の画像処理実行部のそれぞれに任意の順序で供給されるように、前記複数の画像処理実行部における前記映像信号と前記同期信号との経路を設定する信号経路設定部と、
前記複数の画像処理後の前記映像信号に基づき画像を表示する画像表示部と、を備え、
前記複数の画像処理実行部のそれぞれは、前記画像処理に伴う前記映像信号の遅延量と同一の遅延量で前記同期信号を遅延させる遅延部を含み、
前記複数の画像処理実行部の少なくとも１つは、前記同期信号を基準とした所定のタイミングで前記画像処理を行い、
前記信号経路設定部は、前記映像信号の内容的な種類に応じた所定の順序で前記映像信号と前記同期信号とが前記複数の画像処理実行部に供給されるように、前記映像信号と前記同期信号との経路を設定する、プロジェクタ。
【請求項５】
画像を表す映像信号に対して複数の画像処理を順に実行する画像処理方法であって、
（ａ）それぞれが前記複数の画像処理の１つを実行する複数の画像処理工程と、
（ｂ）前記映像信号と同期信号とが前記複数の画像処理工程のそれぞれに任意の順序で供給されるように、前記映像信号と前記同期信号との経路を設定する工程と、を備え、
前記複数の画像処理工程のそれぞれは、前記画像処理に伴う前記映像信号の遅延量と同一の遅延量で前記同期信号を遅延させる工程を含み、
前記複数の画像処理工程の少なくとも１つは、前記同期信号を基準とした所定のタイミングで前記画像処理を行う工程であり、
前記経路を設定する工程は、前記映像信号の内容的な種類に応じた所定の順序で前記映像信号と前記同期信号とが前記複数の画像処理工程に供給されるように、前記映像信号と前記同期信号との経路を設定する工程である、画像処理方法。
【発明の詳細な説明】
【技術分野】
【０００１】
本発明は、画像処理装置および画像処理方法に関する。
【背景技術】
【０００２】
液晶パネル等の表示デバイスを用いて画像を表示するプロジェクタが広く使用されている。プロジェクタによる画像表示の際に、映像信号に対して、表示画像の色ムラを抑制するための補正や液晶パネルの焼き付きを抑制するための補正といった画像処理を行う技術が開示されている（例えば特許文献１および２）。
【０００３】
【特許文献１】特開２００１−８２１９号公報
【特許文献２】特開２００４−１３３１７７号公報
【０００４】
映像信号に対して実行される画像処理の中には、例えば色ムラ補正のように、表示画像における位置毎に設定された内容で当該位置に対応した部分の映像信号が調整されるものがある。このような画像処理では、同期信号を基準とした所定のタイミングで処理が実行される。
【発明の開示】
【発明が解決しようとする課題】
【０００５】
映像信号に対する画像処理の際には、処理に伴い映像信号のタイミングが遅延する場合がある。そのため、映像信号に対して複数の画像処理を順に実行する場合には、各画像処理の実行順序により、同期信号を基準とした各画像処理のタイミングは変化しうる。従って、複数の画像処理の実行順序を変更する際には、各画像処理のタイミングを調整するための煩雑な処理が必要となる場合があった。
【０００６】
なお、このような問題は、プロジェクタによる画像表示に伴う画像処理に限らず、映像信号に対して複数の画像処理を順に実行する場合に共通する問題であった。
【０００７】
本発明は、上述した従来の課題の少なくとも一部を解決するためになされたものであり、複数の画像処理の実行順序を容易に変更することを可能とする技術を提供することを目的とする。
【課題を解決するための手段】
【０００８】
上記課題の少なくとも一部を解決するために、本発明は、以下の形態または適用例として実現することが可能である。本発明の一形態は、画像を表す映像信号に対して複数の画像処理を順に実行する画像処理装置であって、それぞれが前記複数の画像処理の１つを実行する複数の画像処理実行部と、前記映像信号と同期信号とが前記複数の画像処理実行部のそれぞれに任意の順序で供給されるように、前記複数の画像処理実行部における前記映像信号と前記同期信号との経路を設定する信号経路設定部と、を備え、前記複数の画像処理実行部のそれぞれは、前記画像処理に伴う前記映像信号の遅延量と同一の遅延量で前記同期信号を遅延させる遅延部を含み、前記複数の画像処理実行部の少なくとも１つは、前記同期信号を基準とした所定のタイミングで前記画像処理を行い、前記信号経路設定部は、前記映像信号の内容的な種類に応じた所定の順序で前記映像信号と前記同期信号とが前記複数の画像処理実行部に供給されるように、前記映像信号と前記同期信号との経路を設定する、画像処理装置である。このような形態であれば、同期信号を基準とした所定のタイミングで画像処理を行う画像処理実行部において、画像処理の実行順序に応じて当該タイミングを変更する必要がなく、複数の画像処理の実行順序を容易に変更することができると共に、複数の画像処理の実行順序を映像信号の内容的な種類に応じた適切な順序に容易に設定することができる。その他、本発明は、以下のような形態として実現することも可能である。
【０００９】
［適用例１］画像を表す映像信号に対して複数の画像処理を順に実行する画像処理装置であって、それぞれが前記複数の画像処理の１つを実行する複数の画像処理実行部と、前記映像信号と同期信号とが前記複数の画像処理実行部のそれぞれに任意の順序で供給されるように、前記複数の画像処理実行部における前記映像信号と前記同期信号との経路を設定する信号経路設定部と、を備え、前記複数の画像処理実行部のそれぞれは、前記画像処理に伴う前記映像信号の遅延量と同一の遅延量で前記同期信号を遅延させる遅延部を含み、前記複数の画像処理実行部の少なくとも１つは、前記同期信号を基準とした所定のタイミングで前記画像処理を行う、画像処理装置。
【００１０】
この画像処理装置では、映像信号と同期信号とが複数の画像処理実行部のそれぞれに任意の順序で供給されるため、映像信号に対する画像処理の実行順序が任意に設定可能である。また、各画像処理実行部において、画像処理に伴う映像信号の遅延量と同一の遅延量で同期信号が遅延させられる。そのため、同期信号を基準とした所定のタイミングで画像処理を行う画像処理実行部において、画像処理の実行順序に応じて当該タイミングを変更する必要がない。そのため、この画像処理装置では、複数の画像処理の実行順序を容易に変更することができる。
【００１１】
［適用例２］適用例１に記載の画像処理装置であって、さらに、ユーザによる指示を受領するユーザ指示入力部を備え、前記信号経路設定部は、前記指示に応じた所定の順序で前記映像信号と前記同期信号とが前記複数の画像処理実行部に供給されるように、前記映像信号と前記同期信号との経路を設定する、画像処理装置。
【００１２】
この画像処理装置では、複数の画像処理の実行順序を、ユーザの所望する順序に容易に設定することができる。
【００１３】
［適用例３］適用例１または適用例２に記載の画像処理装置であって、前記指示は、前記映像信号の種類を指定する情報を含み、前記信号経路設定部は、前記映像信号の種類に応じた所定の順序で前記映像信号と前記同期信号とが前記複数の画像処理実行部に供給されるように、前記映像信号と前記同期信号との経路を設定する、画像処理装置。
【００１４】
この画像処理装置では、複数の画像処理の実行順序を、映像信号の種類に応じた適切な順序に容易に設定することができる。
【００１５】
［適用例４］適用例１ないし適用例３のいずれかに記載の画像処理装置であって、さらに、前記複数の画像処理後の前記映像信号に基づき画像を表示する画像表示部を備える、画像処理装置。
【００１６】
この画像処理装置では、画像表示のために複数の画像処理を実行する際に、複数の画像処理の実行順序を容易に変更することができる。
【００１７】
なお、本発明は、種々の態様で実現することが可能であり、例えば、画像処理方法および装置、画像補正方法および装置、画像表示方法および装置、プロジェクタおよびその制御方法、これらの装置または方法の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００１８】
次に、本発明の実施の形態を実施例に基づいて以下の順序で説明する。
Ａ．実施例：
Ｂ．変形例：
【００１９】
Ａ．実施例：
図１は、本発明の実施例におけるプロジェクタ１００の構成を概略的に示す説明図である。プロジェクタ１００は、画像信号に基づき画像を表す画像光を投写して、スクリーンＳＣなどの投写面上に画像を表示する画像表示装置である。プロジェクタ１００は、画像信号入力部１１０と、表示処理部１２０と、液晶パネル１５０と、光源ユニット１６０と、投写光学系１７０と、ユーザ指示入力部１８０と、を備えている。
【００２０】
なお、プロジェクタ１００の各構成要素の機能は、プロジェクタ１００の有するＣＰＵ（図示せず）が所定のコンピュータプログラムを実行することにより実現される。あるいは、プロジェクタ１００の各構成要素は、専用のデバイスや回路等のハードウェアにより構成される。
【００２１】
画像信号入力部１１０は、画像信号を供給するパーソナルコンピュータＰＣからコンポジット信号やＳビデオ信号、コンポーネント信号などの画像信号を入力し、表示処理部１２０で処理可能な信号に変換する処理（例えばＡ／Ｄ変換やＩ／Ｐ変換）を行う。なお、画像信号には、表示画像の各位置における色を表す信号である映像信号ＰＳと、映像信号ＰＳに基づく画像表示のタイミングを定める同期信号ＳＳと、が含まれる。
【００２２】
表示処理部１２０は、プロジェクタ１００全体の動作を制御して、プロジェクタ１００による画像表示を実現する。表示処理部１２０は、画像信号入力部１１０から画像信号（映像信号ＰＳおよび同期信号ＳＳ）を受領して、画像信号に基づき画像表示のための種々の処理（例えば解像度変換、フレームレート変換、Ｄ／Ａ変換）を実行する。
【００２３】
液晶パネル１５０は、複数の画素を有し、表示処理部１２０から供給される映像信号ＰＳに応じた駆動電圧に基づき各画素を駆動する。すなわち、液晶パネル１５０は、供給された駆動電圧に応じて液晶を動作させることにより、光源ユニット１６０から照射された照明光を画像を表す画像光へと変調するためのパネル画像をパネル面に形成する。投写光学系１７０は、液晶パネル１５０により画像光へと変調された光をスクリーンＳＣに向けて投写する。液晶パネル１５０と光源ユニット１６０とは、本発明における画像表示部に相当する。あるいは、液晶パネル１５０と光源ユニット１６０と投写光学系１７０とが、本発明における画像表示部に相当する。
【００２４】
ユーザ指示入力部１８０は、リモコンＲＣを通じたユーザからの指示を受領し、表示処理部１２０等にその指示を伝える。なお、ユーザ指示入力部１８０は、リモコンＲＣ以外の他のユーザ指示手段（例えば操作パネル）を通じてユーザからの指示を受領するとしてもよい。
【００２５】
表示処理部１２０は、映像信号ＰＳに対して所定の画像処理を実行する画像処理部１３０を含む。本実施例では、所定の画像処理として、映像信号ＰＳの一部をマスクするマスク処理と、表示画像における位置に応じた色のばらつきを抑制する色ムラ補正と、が設定されている。そのため、画像処理部１３０は、マスク処理を行うマスク処理部１３３と、色ムラ補正を行う色ムラ補正部１３４と、を含んでいる。マスク処理部１３３および色ムラ補正部１３４は、本発明における画像処理実行部に相当する。
【００２６】
さらに、画像処理部１３０は、映像信号ＰＳと同期信号ＳＳとをマスク処理部１３３および色ムラ補正部１３４のそれぞれに任意の順序で順に供給するために、３つの信号選択部（第１信号選択部１３１、第２信号選択部１３２、第３信号選択部１３５）を含んでいる。なお、３つの信号選択部は、本発明における信号経路設定部に相当する。
【００２７】
第１信号選択部１３１の一方の入力端子Ｉ１および第２信号選択部１３２の一方の入力端子Ｉ３には、画像信号入力部１１０を介して映像信号ＰＳと同期信号ＳＳとが入力される。第１信号選択部１３１の他方の入力端子Ｉ２には、色ムラ補正部１３４の出力端子Ｏ２から出力された信号が入力される。第２信号選択部１３２の他方の入力端子Ｉ４には、マスク処理部１３３の出力端子Ｏ１から出力された信号が入力される。
【００２８】
第１信号選択部１３１からの出力信号はマスク処理部１３３の入力端子Ｉ５に入力され、マスク処理部１３３からの出力信号は、上述した第２信号選択部１３２と、第３信号選択部１３５の一方の入力端子Ｉ７とに入力される。第２信号選択部１３２からの出力信号は色ムラ補正部１３４の入力端子Ｉ６に入力され、色ムラ補正部１３４からの出力信号は、上述した第１信号選択部１３１と、第３信号選択部１３５の他方の入力端子Ｉ８とに入力される。第３信号選択部１３５の出力端子Ｏ３からの出力信号が、画像処理部１３０による画像処理後の信号となる。
【００２９】
本実施例では、後述するように、マスク処理部１３３および色ムラ補正部１３４における映像信号ＰＳに対する画像処理の際に、映像信号ＰＳのタイミングが所定期間分だけ遅延する。マスク処理部１３３および色ムラ補正部１３４は、それぞれ、画像処理に伴う映像信号ＰＳの遅延量と同一の遅延量で同期信号ＳＳを遅延させる遅延部１３６および遅延部１３７を含む。
【００３０】
図２は、本実施例における信号選択部による信号経路の切り替え方法を示す説明図である。本実施例の画像処理部１３０は、マスク処理部１３３によるマスク処理の後に色ムラ補正部１３４による色ムラ補正が実行される「処理順１」と、反対に色ムラ補正の後にマスク処理が実行される「処理順２」と、の２つの処理順を採用することが可能である。
【００３１】
図２の上段に示すように、処理順１が採用されたときには、３つの信号選択部の入力端子の内、入力端子Ｉ１，Ｉ４，Ｉ８が入力可（ＯＮ）に設定され、入力端子Ｉ２，Ｉ３，Ｉ７が入力不可（ＯＦＦ）に設定される。従って、画像信号入力部１１０を介して画像処理部１３０に供給された映像信号ＰＳおよび同期信号ＳＳは、第１信号選択部１３１からマスク処理部１３３、第２信号選択部１３２、色ムラ補正部１３４を経て第３信号選択部１３５に至る信号経路をたどることとなる。なお、入力端子Ｉ５およびＩ６は、常に入力可（ＯＮ）に設定される。
【００３２】
一方、図２の下段に示すように、処理順２が採用されたときには、３つの信号選択部の入力端子の内、入力端子Ｉ２，Ｉ３，Ｉ７が入力可（ＯＮ）に設定され、入力端子Ｉ１，Ｉ４，Ｉ８が入力不可（ＯＦＦ）に設定される。従って、画像信号入力部１１０を介して画像処理部１３０に供給された映像信号ＰＳおよび同期信号ＳＳは、第２信号選択部１３２から色ムラ補正部１３４、第１信号選択部１３１、マスク処理部１３３を経て第３信号選択部１３５に至る経路をたどることとなる。
【００３３】
このように、３つの信号選択部（第１信号選択部１３１、第２信号選択部１３２、第３信号選択部１３５）によって画像処理部１３０における信号経路が切り替えられることにより、２つの画像処理（マスク処理および色ムラ補正）の処理順序が任意に設定される。映像信号ＰＳに対して２つの画像処理を順に実行する場合、画像処理の実行順序により最終的な映像信号ＰＳは異なりうるため、画像処理の実行順序が変更可能であることは有用である。
【００３４】
なお、２つの画像処理の処理順序（すなわち信号経路）は、ユーザ指示入力部１８０を介して入力されたユーザによる指示に応じて設定される。このユーザ指示は、２つの画像処理の処理順序を直接的に指示するものであってもよいし、間接的に指示するものであってもよい。２つの画像処理の処理順序の間接的な指示としては、例えば、映像信号ＰＳの種類（例えば映画やプレゼンテーション）を指定する情報を含む指示が挙げられる。このような指示が行われた場合には、３つの信号選択部は、指定された映像信号ＰＳの種類に応じて予め設定された適切な処理順序を採用する。また、２つの画像処理の処理順序の間接的な指示は、予め設定された画像の表示モード（例えば映画を表示するムービーモードやプレゼンテーションを表示するプレゼンテーションモード）の内の１つを選択する指示であってもよく、このような場合には、３つの信号選択部は、選択された表示モードに対応付けて予め設定された適切な処理順序を採用する。あるいは、画像処理部１３０が映像信号ＰＳの種類を判定する機能を有し、画像処理部１３０による判定結果に応じて自動的に２つの画像処理の適切な処理順序が設定されるとしてもよい。
【００３５】
図３および図４は、本実施例における画像処理の信号タイミングを示すタイミングチャートである。図３には、上述した処理順１で２つの画像処理を実行する際の信号タイミングを示しており、図４には、上述した処理順２で２つの画像処理を実行する際の信号タイミングを示している。
【００３６】
図３および図４の最上段には、画像処理部１３０に入力される同期信号ＳＳに含まれる水平同期信号ＨＳｙｎｃの一部と、画像処理部１３０に入力される映像信号ＰＳ（すなわち画像処理部１３０による画像処理前の信号）に含まれる映像信号Ｐ０の一部を示している。以下の説明では、水平同期信号ＨＳｙｎｃおよび映像信号Ｐ０を、原水平同期信号ＨＳｙｎｃおよび原映像信号Ｐ０とも呼ぶ。図３および図４に示すように、原水平同期信号ＨＳｙｎｃの立ち上がりの周期は１４０ドットクロック（以下、ドットクロックを「ｄ」と表す）である。また、原映像信号Ｐ０は、原水平同期信号ＨＳｙｎｃの立ち上がりより２０ｄ遅れの時点から１００ｄ分の期間が有効な信号（図中では「Ｖａｌｉｄ」と示す）となっている。
【００３７】
図３に示すように、処理順１で画像処理が実行される場合には、原水平同期信号ＨＳｙｎｃおよび原映像信号Ｐ０が第１信号選択部１３１（図１）を介してそのままマスク処理部１３３に入力される。従って、マスク処理部１３３の入力端子Ｉ５に入力される映像信号Ｐおよび水平同期信号ＨＳは、原映像信号Ｐ０および原水平同期信号ＨＳｙｎｃと同じ信号である。なお、以降の説明では、各入力端子に入力される、あるいは各出力端子から出力される映像信号Ｐおよび水平同期信号ＨＳを、括弧書きの入力端子あるいは出力端子の符号を付して表すものとする。例えば、入力端子Ｉ５に入力される映像信号Ｐは映像信号Ｐ（Ｉ５）と表され、入力端子Ｉ５に入力される水平同期信号ＨＳは、水平同期信号ＨＳ（Ｉ５）と表される。
【００３８】
本実施例のマスク処理部１３３によるマスク処理は、映像信号Ｐにおける有効な信号部分以外の信号をマスクする処理である。そのため、マスク処理に用いられるマスク信号ＭＳは、図３に示すように、マスク処理部１３３に入力された水平同期信号ＨＳ（Ｉ５）の立ち上がりより２０ｄ遅延した時点から１００ｄ分の期間においては信号をマスクせず、その他の期間では信号をマスクするような信号である。
【００３９】
本実施例のマスク処理部１３３によるマスク処理では、処理に伴い映像信号Ｐが１０ｄ分の期間だけ遅延するものとする。従って、マスク処理部１３３から出力される映像信号Ｐ（Ｏ１）は、図３に示すように、入力された映像信号Ｐ（Ｉ５）と比べて１０ｄ分遅れた信号となる。
【００４０】
ここで、上述したように、マスク処理部１３３の遅延部１３６（図１）は、マスク処理に伴う映像信号Ｐの遅延量と同一の遅延量で水平同期信号ＨＳを遅延させるため、マスク処理部１３３から出力される水平同期信号ＨＳ（Ｏ１）は、図３に示すように、入力された水平同期信号ＨＳ（Ｉ５）と比べて１０ｄ分遅れた信号となる。
【００４１】
処理順１においては、マスク処理部１３３から出力された映像信号Ｐ（Ｏ１）および水平同期信号ＨＳ（Ｏ１）は、第２信号選択部１３２（図１）を介して色ムラ補正部１３４に入力される。従って、色ムラ補正部１３４の入力端子Ｉ６に入力される映像信号Ｐ（Ｉ６）および水平同期信号ＨＳ（Ｉ６）は、映像信号Ｐ（Ｏ１）および水平同期信号ＨＳ（Ｏ１）と同じ信号である。
【００４２】
本実施例の色ムラ補正部１３４による色ムラ補正は、映像信号Ｐにおける有効な信号部分全体を対象に実行される。そのため、色ムラ補正の対象信号部分を特定するための補正信号ＣＳは、図３に示すように、色ムラ補正部１３４に入力された水平同期信号ＨＳ（Ｉ６）の立ち上がりより２０ｄ遅延した時点から１００ｄ分の期間においては信号を補正し、その他の期間では信号を補正しないような信号である。
【００４３】
本実施例の色ムラ補正部１３４による色ムラ補正では、処理に伴い映像信号Ｐが２０ｄ分の期間だけ遅延するものとする。従って、色ムラ補正部１３４から出力される映像信号Ｐ（Ｏ２）は、図３に示すように、入力された映像信号Ｐ（Ｉ６）と比べて２０ｄ分遅れた信号となる。
【００４４】
ここで、上述したように、色ムラ補正部１３４の遅延部１３７（図１）は色ムラ補正に伴う映像信号Ｐの遅延量と同一の遅延量で水平同期信号ＨＳを遅延させるため、色ムラ補正部１３４から出力される水平同期信号ＨＳ（Ｏ２）は、図３に示すように、入力された水平同期信号ＨＳ（Ｉ６）と比べて２０ｄ分遅れた信号となる。
【００４５】
処理順１では、色ムラ補正部１３４から出力された映像信号Ｐ（Ｏ２）および水平同期信号ＨＳ（Ｏ２）は第３信号選択部１３５の入力端子Ｉ８に入力され、出力端子Ｏ３からそのまま映像信号Ｐ（Ｏ３）および水平同期信号ＨＳ（Ｏ３）として出力される。従って、図３の最下段に示すように、第３信号選択部１３５から出力される映像信号Ｐ（Ｏ３）および水平同期信号ＨＳ（Ｏ３）は、映像信号Ｐ（Ｏ２）および水平同期信号ＨＳ（Ｏ２）と同じ信号である。
【００４６】
一方、図４に示すように、処理順２で画像処理が実行される場合には、原水平同期信号ＨＳｙｎｃおよび原映像信号Ｐ０がそのまま色ムラ補正部１３４（図１）に入力される（映像信号Ｐ（Ｉ６）および水平同期信号ＨＳ（Ｉ６）参照）。また、色ムラ補正の対象信号部分を特定するための補正信号ＣＳは、図３に示した処理順１と同様に、色ムラ補正部１３４に入力された水平同期信号ＨＳ（Ｉ６）の立ち上がりより２０ｄ遅延した時点から１００ｄ分の期間においては信号を補正し、その他の期間では信号を補正しないような信号である。また、色ムラ補正部１３４から出力される映像信号Ｐ（Ｏ２）は、入力された映像信号Ｐ（Ｉ６）と比べて２０ｄ分遅れた信号となる。色ムラ補正部１３４の遅延部１３７（図１）は、色ムラ補正に伴う映像信号Ｐの遅延量と同一の遅延量で水平同期信号ＨＳを遅延させるため、色ムラ補正部１３４から出力される水平同期信号ＨＳ（Ｏ２）は、図４に示すように、入力された水平同期信号ＨＳ（Ｉ６）と比べて２０ｄ分遅れた信号となる。
【００４７】
処理順２においては、色ムラ補正部１３４から出力された映像信号Ｐ（Ｏ２）および水平同期信号ＨＳ（Ｏ２）は、第１信号選択部１３１を介してマスク処理部１３３に入力される（映像信号Ｐ（Ｉ５）および水平同期信号ＨＳ（Ｉ５）参照）。また、マスク処理に用いられるマスク信号ＭＳは、図３に示した処理順１と同様に、マスク処理部１３３に入力された水平同期信号ＨＳ（Ｉ５）の立ち上がりより２０ｄ遅延した時点から１００ｄ分の期間においては信号をマスクせず、その他の期間では信号をマスクするような信号である。また、マスク処理部１３３から出力される映像信号Ｐ（Ｏ１）は、入力された映像信号Ｐ（Ｉ５）と比べて１０ｄ分遅れた信号となる。マスク処理部１３３の遅延部１３６（図１）は、マスク処理に伴う映像信号Ｐの遅延量と同一の遅延量で水平同期信号ＨＳを遅延させるため、マスク処理部１３３から出力される水平同期信号ＨＳ（Ｏ１）は、図４に示すように、入力された水平同期信号ＨＳ（Ｉ５）と比べて１０ｄ分遅れた信号となる。
【００４８】
処理順２では、マスク処理部１３３から出力された映像信号Ｐ（Ｏ１）および水平同期信号ＨＳ（Ｏ１）は第３信号選択部１３５の入力端子Ｉ７に入力され、出力端子Ｏ３からそのまま映像信号Ｐ（Ｏ３）および水平同期信号ＨＳ（Ｏ３）として出力される。従って、図４の最下段に示すように、第３信号選択部１３５から出力される映像信号Ｐ（Ｏ３）および水平同期信号ＨＳ（Ｏ３）は、映像信号Ｐ（Ｏ１）および水平同期信号ＨＳ（Ｏ１）と同じ信号である。
【００４９】
図５は、本実施例における同期信号とマスク信号ＭＳおよび補正信号ＣＳとのタイミングに関する関係を示す説明図である。図５には、２つの処理順（処理順１および処理順２）のそれぞれについて、図３および図４から同期信号とマスク信号ＭＳおよび補正信号ＣＳとを抜粋して示している。すなわち、図５には、マスク処理部１３３に入力される水平同期信号ＨＳ（Ｉ５）とマスク信号ＭＳとの関係と、色ムラ補正部１３４に入力される水平同期信号ＨＳ（Ｉ６）と補正信号ＣＳとの関係と、を示している。
【００５０】
図５に示すように、本実施例では、処理順１と処理順２のいずれの順序で画像処理が行われる場合でも、マスク信号ＭＳは、水平同期信号ＨＳ（Ｉ５）の立ち上がりより２０ｄ遅延した時点から１００ｄ分の期間においては信号をマスクせず、その他の期間では信号をマスクするような信号である。また、処理順１と処理順２のいずれの順序で画像処理が行われる場合でも、補正信号ＣＳは、水平同期信号ＨＳ（Ｉ６）の立ち上がりより２０ｄ遅延した時点から１００ｄ分の期間においては信号を補正し、その他の期間では信号を補正しないような信号である。すなわち、本実施例の画像処理部１３０では、同期信号を基準とした各画像処理のタイミングが画像処理の実行順序によって変化することはない。これは、画像処理が行われる際に、画像処理に伴う映像信号Ｐの遅延量と同一の遅延量で水平同期信号ＨＳも遅延させられるからである。従って、本実施例の画像処理部１３０では、２つの画像処理の実行順序を変更する場合にも、マスク信号ＭＳや補正信号ＣＳを変更して各画像処理のタイミングを調整する必要は無い。
【００５１】
図６は、比較例におけるプロジェクタ１００ｃの構成を概略的に示す説明図である。比較例のプロジェクタ１００ｃは、同期信号ＳＳの画像処理部１３０への入力態様が図１に示した実施例のプロジェクタ１００とは異なっている。すなわち、比較例のプロジェクタ１００ｃでは、同期信号ＳＳがマスク処理部１３３ｃおよび色ムラ補正部１３４ｃの入力端子Ｉ９およびＩ１０に直接入力される。なお、映像信号ＰＳの画像処理部１３０への入力態様は、実施例と同じである。また、比較例のマスク処理部１３３ｃおよび色ムラ補正部１３４ｃは、共に遅延部を有していない点も実施例のプロジェクタ１００と異なっている。
【００５２】
図７は、比較例における同期信号とマスク信号ＭＳおよび補正信号ＣＳとのタイミングの関係を示す説明図である。比較例では、同期信号ＳＳがマスク処理部１３３ｃおよび色ムラ補正部１３４ｃの入力端子Ｉ９およびＩ１０に直接入力されるため、画像処理タイミングの基準として用いられる水平同期信号ＨＳ（水平同期信号ＨＳ（Ｉ９）、水平同期信号ＨＳ（Ｉ１０））は、原水平同期信号ＨＳｙｎｃと同じ信号である。
【００５３】
比較例における映像信号ＰＳの画像処理部１３０への入力態様は、実施例と同じであるため、マスク処理に用いられマスク信号ＭＳおよび色ムラ補正に用いられる補正信号ＣＳは、実施例と同じ信号となる（図３および図４参照）。そのため、マスク信号ＭＳは、処理順１の場合には、マスク処理部１３３に入力される水平同期信号ＨＳ（Ｉ９）の立ち上がりより２０ｄ遅延した時点から１００ｄ分の期間においては信号をマスクせず、その他の期間では信号をマスクするような信号となる一方、処理順２の場合には、水平同期信号ＨＳ（Ｉ９）の立ち上がりより４０ｄ遅延した時点から１００ｄ分の期間においては信号をマスクせず、その他の期間では信号をマスクするような信号となる。また、補正信号ＣＳは、処理順１の場合には、色ムラ補正部１３４に入力される水平同期信号ＨＳ（Ｉ１０）の立ち上がりより３０ｄ遅延した時点から１００ｄ分の期間においては信号を補正し、その他の期間では信号を補正しないような信号となる一方、処理順２の場合には、水平同期信号ＨＳ（Ｉ１０）の立ち上がりより２０ｄ遅延した時点から１００ｄ分の期間においては信号を補正し、その他の期間では信号を補正しないような信号となる。
【００５４】
このように、比較例では、同期信号を基準とした各画像処理のタイミングが画像処理の実行順序によって変化する。従って、２つの画像処理の実行順序を変更する場合には、使用するマスク信号ＭＳや補正信号ＣＳを変更して各画像処理のタイミングを調整する必要があり、処理が煩雑となる。
【００５５】
以上説明したように、本実施例のプロジェクタ１００では、同期信号を基準とした各画像処理のタイミングが画像処理の実行順序によって変化することはないため、２つの画像処理の実行順序を変更する場合にも、マスク信号ＭＳや補正信号ＣＳを変更して各画像処理のタイミングを調整する必要は無い。従って、複数の画像処理の実行順序を容易に変更することができる。
【００５６】
Ｂ．変形例：
なお、この発明は上記の実施例や実施形態に限られるものではなく、その要旨を逸脱しない範囲において種々の態様において実施することが可能であり、例えば次のような変形も可能である。
【００５７】
Ｂ１．変形例１：
上記実施例では、画像処理部１３０が、画像処理を実行する画像処理実行部として、マスク処理部１３３と色ムラ補正部１３４との２つを含むとしているが、画像処理部１３０は、画像処理を実行する画像処理実行部を複数備えていればよい。例えば、画像処理部１３０は、マスク処理や色ムラ補正以外の画像処理（例えば液晶パネル１５０の焼き付きを抑制するための焼き付き抑制補正）を実行する他の画像処理実行部を２つ、あるいは３つ以上備えているとしてもよい。
【００５８】
また、上記実施例の画像処理部１３０が備えるマスク処理部１３３と色ムラ補正部１３４は、共に、同期信号を基準とした所定のタイミングで画像処理を行うものであるが、必ずしも画像処理部１３０が備えるすべての画像処理実行部が同期信号を基準として画像処理を行うものである必要はなく、複数の画像処理実行部の少なくとも１つが同期信号を基準として画像処理を行うものであればよい。複数の画像処理実行部の少なくとも１つが同期信号を基準として画像処理を行うものであれば、画像処理の実行順序の変更に伴う映像信号と同期信号とのタイミングに関する関係の変化が問題となるからである。
【００５９】
また、上記実施例におけるマスク処理や色ムラ補正に用いられる信号波形や信号タイミング（図３および図４参照）は、あくまで一例であり、他の信号波形、信号タイミングが用いられるとしてもよい。
【００６０】
Ｂ２．変形例２：
上記実施例では、図１に示すように、遅延部１３６はマスク処理部１３３に含まれ、遅延部１３７は色ムラ補正部１３４に含まれるとしているが、遅延部１３６はマスク処理部１３３とは独立した構成要素であってもよいし、同様に、遅延部１３７は色ムラ補正部１３４とは独立した構成要素であってもよい。遅延部１３６および１３７がマスク処理部１３３および色ムラ補正部１３４から独立した構成要素である場合にも、マスク処理部１３３および遅延部１３６の組み合わせや、色ムラ補正部１３４および遅延部１３７の組み合わせが本発明における画像処理実行部に相当する。
【００６１】
Ｂ３．変形例３：
本発明は、液晶パネル１５０を用いたプロジェクタ１００に限らず、他の画像表示デバイス（例えばデジタル・マイクロミラー・デバイス（テキサス・インスツルメンツ社の商標））を用いたプロジェクタにも適用可能である。また、液晶パネル１６４は、１つのパネルのみを含む単板式パネルであってもよいし、複数の色成分（例えば赤成分、緑成分、青成分の３つの色成分）に対応した複数のパネルを有する複数板式のパネルであってもよい。また、プロジェクタ１００への画像信号の入力元は、パーソナルコンピュータＰＣに限らず、ＤＶＤプレーヤー等の他の装置であってもよい。
【００６２】
また本発明は、プロジェクタ以外の他の画像表示装置（例えば液晶ディスプレイ）における画像処理にも適用可能であり、さらに、画像表示装置以外の画像処理装置（例えばパーソナルコンピュータやプリンタ）における画像処理にも適用可能である。
【００６３】
Ｂ４．変形例４：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００６４】
【図１】本発明の実施例におけるプロジェクタ１００の構成を概略的に示す説明図である。
【図２】本実施例における信号選択部による信号経路の切り替え方法を示す説明図である。
【図３】本実施例における画像処理の信号タイミングを示すタイミングチャートである。
【図４】本実施例における画像処理の信号タイミングを示すタイミングチャートである。
【図５】本実施例における同期信号とマスク信号ＭＳおよび補正信号ＣＳとのタイミングに関する関係を示す説明図である。
【図６】比較例におけるプロジェクタ１００ｃの構成を概略的に示す説明図である。
【図７】比較例における同期信号とマスク信号ＭＳおよび補正信号ＣＳとのタイミングの関係を示す説明図である。
【符号の説明】
【００６５】
１００…プロジェクタ、１１０…画像信号入力部、１２０…表示処理部、１３０…画像処理部、１３１…第１信号選択部、１３２…第２信号選択部、１３３…マスク処理部、１３４…色ムラ補正部、１３５…第３信号選択部、１３６…遅延部、１３７…遅延部、１５０…液晶パネル、１６０…光源ユニット、１６４…液晶パネル、１７０…投写光学系、１８０…ユーザ指示入力部
【図１】
0005343352.tif 000002
【図２】
0005343352.tif 000003
【図３】
0005343352.tif 000004
【図４】
0005343352.tif 000005
【図５】
0005343352.tif 000006
【図６】
0005343352.tif 000007
【図７】
0005343352.tif 000008